(57)【要約】【課題】携帯端末で閲覧できないファイル形式の添付ファイルのうち所望のものについてのみ、閲覧可能なファイル形式に変換するデータ処理技術を提供する。【解決手段】第一形式の電子データを出力する携帯端末１０で閲覧されるウェブメールを所定のウェブサイトに掲載するデータ処理装置１００であって、ウェブサイトで閲覧されるウェブメールを保存するメールボックス５１０と、第二形式の電子データが添付されているウェブメールをメールボックスに格納するメールサーバ５００と、第二形式の電子データを第一形式に変換する変換指示を携帯端末１０から受信するウェブメール処理部４１０と、変換指示に対応して第二形式の電子データを第一形式に変換する画像変換処理部４２０と、変換された電子データを携帯端末１０で閲覧される状態に保持する画像ＤＢ４２４と、を有する。【選択図】図１
2009134364.tif 000002
【特許請求の範囲】
【請求項１】
第一形式の電子データを出力する携帯端末から送信された、第二形式の電子データが添付された電子メールを受信するメール受信手段と、
受信された前記電子メールに添付されている前記電子データを前記第二形式から前記第一形式に変換するデータ変換手段と、
前記第一形式に変換された前記電子データを添付した電子メールを前記携帯端末に返信するメール返信手段と、
を有するデータ処理装置。
【請求項２】
第一形式の電子データを出力する携帯端末から送信された、第二形式の電子データが添付された電子メールを受信するメール受信手段と、
受信された前記電子メールに添付されている前記電子データを前記第二形式から前記第一形式に変換するデータ変換手段と、
前記第一形式に変換された前記電子データを前記携帯端末で閲覧される状態に保持するデータ保持手段と、
を有するデータ処理装置。
【請求項３】
第一形式の電子データを出力する携帯端末で閲覧されるウェブメールを所定のウェブサイトに掲載するデータ処理装置であって、
前記ウェブサイトで閲覧される前記ウェブメールを保存するメール保存手段と、
第二形式の電子データが添付されている前記ウェブメールを前記メール保存手段に格納するメール格納手段と、
前記ウェブメールに添付されている前記第二形式の電子データを前記第一形式に変換する変換指示を前記携帯端末から受信する指示受信手段と、
前記変換指示に対応して前記第二形式の電子データを前記第一形式に変換するデータ変換手段と、
前記第一形式に変換された前記電子データを前記携帯端末で閲覧される状態に保持するデータ保持手段と、
を有するデータ処理装置。
【請求項４】
保持される前記電子データをウェブサイトに登録するデータ登録手段と、前記ウェブサイトのウェブアドレスが記録された電子メールを前記携帯端末に返信するメール返信手段と、をさらに有する請求項３に記載のデータ処理装置。
【請求項５】
前記第一形式および第二形式がそれぞれ複数種類のファイル形式を含み、
前記第一形式に変換される電子データが前記第二形式に含まれるいずれのファイル形式であるかを判定し、前記判定された結果に基づいて、変換後の電子データを前記第一形式に含まれるいずれのファイル形式とするかを決定するファイル形式決定手段をさらに備える請求項１から４のいずれかに記載のデータ処理装置。
【請求項６】
前記携帯端末より受信したパスワードと、予め前記携帯端末に関連づけて記憶された対照データとを比較することにより前記携帯端末を認証する端末認証手段をさらに備える請求項１から５のいずれかに記載のデータ処理装置。
【請求項７】
第一形式の電子データを出力する携帯端末と、
第二形式の電子データが添付された電子メールを前記携帯端末から受信するメール受信手段と、
受信された前記電子メールに添付されている前記電子データを前記第二形式から前記第一形式に変換するデータ変換手段と、
前記第一形式に変換された前記電子データを添付した電子メールを前記携帯端末に返信するメール返信手段と、
を有するデータ処理システム。
【請求項８】
第一形式の電子データを出力する携帯端末と、
第二形式の電子データが添付された電子メールを前記携帯端末から受信するメール受信手段と、
受信された前記電子メールに添付されている前記電子データを前記第二形式から前記第一形式に変換するデータ変換手段と、
前記第一形式に変換された前記電子データを前記携帯端末で閲覧される状態に保持するデータ保持手段と、
を有するデータ処理システム。
【請求項９】
携帯端末から受信する前記電子メールが、変換後の前記第一形式の電子データのファイル形式を指定する形式指定情報を含むことを特徴とする請求項７または８に記載のデータ処理システム。
【請求項１０】
第一形式の電子データを出力する携帯端末と、
前記携帯端末で閲覧されるウェブメールを掲載するウェブサイトと、
前記ウェブサイトで閲覧される前記ウェブメールを保存するメール保存手段と、
第二形式の電子データが添付されている前記ウェブメールを前記メール保存手段に格納するメール格納手段と、
前記ウェブメールに添付されている前記第二形式の電子データを前記第一形式に変換する変換指示を前記携帯端末から受信する指示受信手段と、
前記変換指示に対応して前記第二形式の電子データを前記第一形式に変換するデータ変換手段と、
前記第一形式に変換された前記電子データを前記携帯端末で閲覧される状態に保持するデータ保持手段と、
を有するデータ処理システム。
【請求項１１】
携帯端末から受信する前記変換指示が、変換後の前記第一形式の電子データのファイル形式を指定する形式指定情報を含むことを特徴とする請求項１０に記載のデータ処理システム。
【請求項１２】
第一形式の電子データを出力する携帯端末から受信した電子メールに添付された第二形式の電子データを、前記第一形式に変換して前記携帯端末に返信するデータ処理装置のためのコンピュータプログラムであって、
前記第二形式の電子データが添付された電子メールを前記携帯端末から受信するメール受信処理と、
受信された前記電子メールに添付されている前記電子データを前記第二形式から前記第一形式に変換するデータ変換処理と、
前記第一形式に変換された前記電子データを添付した電子メールを前記携帯端末に返信するメール返信処理と、
を前記データ処理装置に実行させるためのコンピュータプログラム。
【請求項１３】
第一形式の電子データを出力する携帯端末から受信した電子メールに添付された第二形式の電子データを、前記第一形式に変換して前記携帯端末に閲覧される状態に保持するデータ処理装置のためのコンピュータプログラムであって、
前記第二形式の電子データが添付された電子メールを前記携帯端末から受信するメール受信処理と、
受信された前記電子メールに添付されている前記電子データを前記第二形式から前記第一形式に変換するデータ変換処理と、
前記第一形式に変換された前記電子データを前記携帯端末で閲覧される状態に保持するデータ保持処理と、
を前記データ処理装置に実行させるためのコンピュータプログラム。
【請求項１４】
第一形式の電子データを出力する携帯端末で閲覧されるウェブメールを所定のウェブサイトに掲載するデータ処理装置のためのコンピュータプログラムであって、
前記ウェブサイトで閲覧される前記ウェブメールを前記データ処理装置に保存するメール保存処理と、
第二形式の電子データが添付されている前記ウェブメールを前記データ処理装置に格納するメール格納処理と、
前記ウェブメールに添付されている前記第二形式の電子データを前記第一形式に変換する変換指示を前記携帯端末から受信する指示受信処理と、
前記変換指示に対応して前記第二形式の電子データを前記第一形式に変換するデータ変換処理と、
前記第一形式に変換された前記電子データを前記携帯端末で閲覧される状態に保持するデータ保持処理と、
を前記データ処理装置に実行させるためのコンピュータプログラム。
【請求項１５】
第一形式の電子データを出力する携帯端末から受信した電子メールに添付された第二形式の電子データを、前記第一形式に変換して前記携帯端末に返信するデータ処理方法であって、
前記第二形式の電子データが添付された電子メールを前記携帯端末から受信するステップと、
受信された前記電子メールに添付されている前記電子データを前記第二形式から前記第一形式に変換するステップと、
前記第一形式に変換された前記電子データを添付した電子メールを前記携帯端末に返信するステップと、
を含むデータ処理方法。
【請求項１６】
第一形式の電子データを出力する携帯端末から受信した電子メールに添付された第二形式の電子データを、前記第一形式に変換して前記携帯端末に閲覧される状態に保持するデータ処理方法であって、
前記第二形式の電子データが添付された電子メールを前記携帯端末から受信するステップと、
受信された前記電子メールに添付されている前記電子データを前記第二形式から前記第一形式に変換するステップと、
前記第一形式に変換された前記電子データを前記携帯端末で閲覧される状態に保持するステップと、
を含むデータ処理方法。
【請求項１７】
第一形式の電子データを出力する携帯端末で閲覧されるウェブメールをデータ処理装置により所定のウェブサイトに掲載するデータ処理方法であって、
前記ウェブサイトで閲覧される前記ウェブメールを前記データ処理装置に保存するステップと、
第二形式の電子データが添付されている前記ウェブメールを前記データ処理装置に格納するステップと、
前記ウェブメールに添付されている前記第二形式の電子データを前記第一形式に変換する変換指示を前記携帯端末から受信するステップと、
前記変換指示に対応して前記第二形式の電子データを前記第一形式に変換するステップと、
前記第一形式に変換された前記電子データを前記携帯端末で閲覧される状態に保持するステップと、
を含むデータ処理方法。
【発明の詳細な説明】
【技術分野】
【０００１】
本発明は、データ処理装置、データ処理システム、データ処理装置のためのコンピュータプログラム、およびデータ処理方法に関し、特に電子メールに添付されている電子データを変換する技術に関する。
【背景技術】
【０００２】
この種の発明としては、たとえば特許文献１に記載のように、外部から受信した電子メールに添付されている文書ファイルを携帯端末で閲覧可能な画像ファイルに変換してサーバに登録し、メール本文のテキストと前記画像とを携帯端末からダウンロードさせるメール処理手段（データ処理システム）に関するものが知られている。
【０００３】
【特許文献１】特開２００７−１９９９８３号公報
【発明の開示】
【発明が解決しようとする課題】
【０００４】
近年、携帯電話機に代表される携帯端末の表示機能が高画質化・高精細化されたことにより、パーソナルコンピュータ用に作成された文書ファイルや動画ファイルなどを携帯端末で閲覧したいというニーズが高まっている。しかし一般に携帯端末はパーソナルコンピュータに比べて処理能力や記憶容量で劣るためパーソナルコンピュータ用のアプリケーションをすべて携帯端末に搭載することはできない。したがってパーソナルコンピュータ用に作成された文書ファイルや動画ファイル等のすべてを携帯端末で閲覧することは困難である。
【０００５】
一方、携帯端末で閲覧可能なファイル形式は、携帯端末の機種やこれにインストールされているアプリケーションソフトウェアの種類によって異なる。しかし上記特許文献に記載のメール処理手段では、メールサーバに電子メールが到達した時点で、すなわち閲覧に供される携帯端末に対応するファイル形式がいまだ不明の段階で、添付ファイルの画像変換が行われている。したがって上記のメール処理手段では、標準的な携帯端末にて閲覧不能と判断されたファイル形式の添付ファイルのすべてが、標準的な携帯端末で閲覧可能な画像形式に変換されていた。
換言すると特許文献１に記載のデータ処理システムでは、閲覧に供される携帯端末によっては閲覧が可能であって変換不要な添付ファイルまでもが画像変換されてしまっていた。また携帯端末のユーザにとって閲覧不要な添付ファイルや、画像変換をむしろ希望しない添付ファイルについてまで変換がなされてしまっていた。
【０００６】
本発明は上記事情に鑑みてなされたものであり、携帯端末で閲覧不能なファイル形式の添付ファイルのうち所望のものについてのみ、閲覧可能なファイル形式に変換するデータ処理技術を提供するものである。
【課題を解決するための手段】
【０００７】
本発明によれば、第一形式の電子データを出力する携帯端末から送信された、第二形式の電子データが添付された電子メールを受信するメール受信手段と、
受信された前記電子メールに添付されている前記電子データを前記第二形式から前記第一形式に変換するデータ変換手段と、
前記第一形式に変換された前記電子データを添付した電子メールを前記携帯端末に返信するメール返信手段と、
を有するデータ処理装置が提供される。
【０００８】
ここで、携帯端末とは携帯電話機やＰＨＳ（Ｐｅｒｓｏｎａｌ  Ｈａｎｄｙ−ｐｈｏｎｅ  Ｓｙｓｔｅｍ：登録商標）、携帯情報端末（ＰＤＡ：Ｐｅｒｓｏｎａｌ  Ｄｉｇｉｔａｌ  Ａｓｓｉｓｔａｎｔ）などを含む。
第一形式および第二形式は電子データのファイル形式であり、例えば文書ファイル形式、静止画像形式、動画像形式、音声ファイル形式などを含む。すなわち本発明において電子データを携帯端末で出力するとは、文書ファイルや静止画像、動画像をそのディスプレイ画面等に視覚的に表示出力するほか、音声ファイルをスピーカ等より音声出力することを含む。
【０００９】
そして本発明にいう第一形式とは、本発明のデータ処理装置とともに用いられる携帯端末で出力できるファイル形式であり、第二形式は当該携帯端末で出力できないファイル形式である。
【００１０】
また本発明によれば、第一形式の電子データを出力する携帯端末から送信された、第二形式の電子データが添付された電子メールを受信するメール受信手段と、
受信された前記電子メールに添付されている前記電子データを前記第二形式から前記第一形式に変換するデータ変換手段と、
前記第一形式に変換された前記電子データを前記携帯端末で閲覧される状態に保持するデータ保持手段と、
を有するデータ処理装置が提供される。
【００１１】
また本発明によれば、第一形式の電子データを出力する携帯端末で閲覧されるウェブメールを所定のウェブサイトに掲載するデータ処理装置であって、
前記ウェブサイトで閲覧される前記ウェブメールを保存するメール保存手段と、
第二形式の電子データが添付されている前記ウェブメールを前記メール保存手段に格納するメール格納手段と、
前記ウェブメールに添付されている前記第二形式の電子データを前記第一形式に変換する変換指示を前記携帯端末から受信する指示受信手段と、
前記変換指示に対応して前記第二形式の電子データを前記第一形式に変換するデータ変換手段と、
前記第一形式に変換された前記電子データを前記携帯端末で閲覧される状態に保持するデータ保持手段と、
を有するデータ処理装置が提供される。
【００１２】
また本発明においては、第一形式に変換された前記電子データをウェブサイトに登録するデータ登録手段と、前記ウェブサイトのウェブアドレスが記録された電子メールを前記携帯端末に返信するメール返信手段と、をさらに有することとしてもよい。
【００１３】
また本発明においては、前記第一形式および第二形式がそれぞれ複数種類のファイル形式を含み、
前記第一形式に変換される電子データが前記第二形式に含まれるいずれのファイル形式であるかを判定し、前記判定された結果に基づいて、変換後の電子データを前記第一形式に含まれるいずれのファイル形式とするかを決定するファイル形式決定手段をさらに備えることとしてもよい。
【００１４】
また本発明においては、前記携帯端末より受信したパスワードと、予め前記携帯端末に関連づけて記憶された対照データとを比較することにより前記携帯端末を認証する端末認証手段をさらに備えることとしてもよい。
【００１５】
また本発明によれば、第一形式の電子データを出力する携帯端末と、
第二形式の電子データが添付された電子メールを前記携帯端末から受信するメール受信手段と、
受信された前記電子メールに添付されている前記電子データを前記第二形式から前記第一形式に変換するデータ変換手段と、
前記第一形式に変換された前記電子データを添付した電子メールを前記携帯端末に返信するメール返信手段と、
を有するデータ処理システムが提供される。
【００１６】
また本発明によれば、第一形式の電子データを出力する携帯端末と、
第二形式の電子データが添付された電子メールを前記携帯端末から受信するメール受信手段と、
受信された前記電子メールに添付されている前記電子データを前記第二形式から前記第一形式に変換するデータ変換手段と、
前記第一形式に変換された前記電子データを前記携帯端末で閲覧される状態に保持するデータ保持手段と、
を有するデータ処理システムが提供される。
【００１７】
また本発明によれば、第一形式の電子データを出力する携帯端末と、
前記携帯端末で閲覧されるウェブメールを掲載するウェブサイトと、
前記ウェブサイトで閲覧される前記ウェブメールを保存するメール保存手段と、
第二形式の電子データが添付されている前記ウェブメールを前記メール保存手段に格納するメール格納手段と、
前記ウェブメールに添付されている前記第二形式の電子データを前記第一形式に変換する変換指示を前記携帯端末から受信する指示受信手段と、
前記変換指示に対応して前記第二形式の電子データを前記第一形式に変換するデータ変換手段と、
前記第一形式に変換された前記電子データを前記携帯端末で閲覧される状態に保持するデータ保持手段と、
を有するデータ処理システムが提供される。
【００１８】
また本発明においては、携帯端末から受信する前記電子メールが、変換後の前記第一形式の電子データのファイル形式を指定する形式指定情報を含むこととしてもよい。
また本発明においては、携帯端末から受信する前記変換指示が、変換後の前記第一形式の電子データのファイル形式を指定する形式指定情報を含むこととしてもよい。
【００１９】
また本発明によれば、第一形式の電子データを出力する携帯端末から受信した電子メールに添付された第二形式の電子データを、前記第一形式に変換して前記携帯端末に返信するデータ処理装置のためのコンピュータプログラムであって、
前記第二形式の電子データが添付された電子メールを前記携帯端末から受信するメール受信処理と、
受信された前記電子メールに添付されている前記電子データを前記第二形式から前記第一形式に変換するデータ変換処理と、
前記第一形式に変換された前記電子データを添付した電子メールを前記携帯端末に返信するメール返信処理と、
を前記データ処理装置に実行させるためのコンピュータプログラムが提供される。
【００２０】
また本発明によれば、第一形式の電子データを出力する携帯端末から受信した電子メールに添付された第二形式の電子データを、前記第一形式に変換して前記携帯端末に閲覧される状態に保持するデータ処理装置のためのコンピュータプログラムであって、
前記第二形式の電子データが添付された電子メールを前記携帯端末から受信するメール受信処理と、
受信された前記電子メールに添付されている前記電子データを前記第二形式から前記第一形式に変換するデータ変換処理と、
前記第一形式に変換された前記電子データを前記携帯端末で閲覧される状態に保持するデータ保持処理と、
を前記データ処理装置に実行させるためのコンピュータプログラムが提供される。
【００２１】
また本発明によれば、第一形式の電子データを出力する携帯端末で閲覧されるウェブメールを所定のウェブサイトに掲載するデータ処理装置のためのコンピュータプログラムであって、
前記ウェブサイトで閲覧される前記ウェブメールを前記データ処理装置に保存するメール保存処理と、
第二形式の電子データが添付されている前記ウェブメールを前記データ処理装置に格納するメール格納処理と、
前記ウェブメールに添付されている前記第二形式の電子データを前記第一形式に変換する変換指示を前記携帯端末から受信する指示受信処理と、
前記変換指示に対応して前記第二形式の電子データを前記第一形式に変換するデータ変換処理と、
前記第一形式に変換された前記電子データを前記携帯端末で閲覧される状態に保持するデータ保持処理と、
を前記データ処理装置に実行させるためのコンピュータプログラムが提供される。
【００２２】
また本発明によれば、第一形式の電子データを出力する携帯端末から受信した電子メールに添付された第二形式の電子データを、前記第一形式に変換して前記携帯端末に返信するデータ処理方法であって、
前記第二形式の電子データが添付された電子メールを前記携帯端末から受信するステップと、
受信された前記電子メールに添付されている前記電子データを前記第二形式から前記第一形式に変換するステップと、
前記第一形式に変換された前記電子データを添付した電子メールを前記携帯端末に返信するステップと、
を含むデータ処理方法が提供される。
【００２３】
また本発明によれば、第一形式の電子データを出力する携帯端末から受信した電子メールに添付された第二形式の電子データを、前記第一形式に変換して前記携帯端末に閲覧される状態に保持するデータ処理方法であって、
前記第二形式の電子データが添付された電子メールを前記携帯端末から受信するステップと、
受信された前記電子メールに添付されている前記電子データを前記第二形式から前記第一形式に変換するステップと、
前記第一形式に変換された前記電子データを前記携帯端末で閲覧される状態に保持するステップと、
を含むデータ処理方法が提供される。
【００２４】
また本発明によれば、第一形式の電子データを出力する携帯端末で閲覧されるウェブメールをデータ処理装置により所定のウェブサイトに掲載するデータ処理方法であって、
前記ウェブサイトで閲覧される前記ウェブメールを前記データ処理装置に保存するステップと、
第二形式の電子データが添付されている前記ウェブメールを前記データ処理装置に格納するステップと、
前記ウェブメールに添付されている前記第二形式の電子データを前記第一形式に変換する変換指示を前記携帯端末から受信するステップと、
前記変換指示に対応して前記第二形式の電子データを前記第一形式に変換するステップと、
前記第一形式に変換された前記電子データを前記携帯端末で閲覧される状態に保持するステップと、
を含むデータ処理方法が提供される。
【００２５】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００２６】
また、本発明の各種の構成要素は、個々に独立した存在である必要はなく、複数の構成要素が一個のデバイスとして形成されていること、一つの構成要素が複数のデバイスで形成されていること、ある構成要素が他の構成要素の一部であること、ある構成要素の一部と他の構成要素の一部とが重複していること、等でよい。
【００２７】
また、本発明の方法には複数のステップを順番に記載してあるが、その記載の順番は複数のステップを実行する順番を必ずしも限定するものではない。このため、本発明の方法を実施するときには、その複数の工程の順番は内容的に支障しない範囲で変更することができる。
【００２８】
さらに、本発明のデータ処理方法の複数のステップは個々に相違するタイミングで実行されることに限定されない。このため、あるステップの実行中に他のステップが発生すること、あるステップの実行タイミングと他のステップの実行タイミングとの一部ないし全部が重複していること、等でもよい。
【００２９】
また、本発明で云うデータ処理装置は、コンピュータプログラムを読み取って対応するデータ処理を実行できるように、ＣＰＵ（Central Processing
Unit）、ＲＯＭ（Read Only Memory）、ＲＡＭ（Random Access Memory）、Ｉ／Ｆ（Interface）ユニット、等の汎用デバイスで構築されたハードウェア、所定のデータ処理を実行するように構築された専用の論理回路、これらの組み合わせ、等として実施することができる。
【００３０】
なお、本発明でコンピュータプログラムに対応した各種動作をデータ処理装置に実行させることは、各種デバイスをデータ処理装置に動作制御させることなども意味している。
【００３１】
例えば、データ処理装置に各種データを記憶、保持または保存させることは、データ処理装置に固定されているＨＤＤ（Hard Disc Drive）やＲＡＭ等の情報記憶媒体にＣＰＵが各種データを格納すること、データ処理装置に交換自在に装填されているＣＤ−Ｒ（Compact
Disc-Recordable）等の情報記憶媒体にＣＰＵがＣＤドライブで各種データを格納すること、等でよい。
【発明の効果】
【００３２】
本発明によれば、携帯端末で閲覧不能なファイル形式の添付ファイルのうち所望のものについてのみ、閲覧可能なファイル形式に変換するデータ処理技術が提供される。したがって携帯端末で閲覧不能と判断された添付ファイルのすべてを画像変換する技術と比較してデータ処理の負荷が大幅に低減される。また携帯端末のユーザが変換を望まない場合まで添付ファイルが変換されてしまうことが避けられる。
【発明を実施するための最良の形態】
【００３３】
以下、本発明の実施の形態について、図面を用いて説明する。なお、すべての図面において、同様な構成要素には同様の符号を付し、適宜説明を省略する。
【００３４】
図１は本発明の第一の実施形態にかかるデータ処理システムを示すブロック図の一例である。データ処理システム６００は、インターネット３０に接続されたデータ処理装置１００、および基地局２０を介してインターネット３０に無線接続される携帯端末１０とで構成されている。
【００３５】
本実施形態のデータ処理装置１００は、第一形式の電子データを出力する携帯端末１０で閲覧されるウェブメールを所定のウェブサイトに掲載するものであって、前記ウェブサイトで閲覧される前記ウェブメールを保存するメール保存部（メールボックス５１０）と、第二形式の電子データが添付されている前記ウェブメールを前記メール保存部（メールボックス５１０）に格納するメール格納部（メールサーバ５００）と、前記ウェブメールに添付されている前記第二形式の電子データを前記第一形式に変換する変換指示を前記携帯端末１０から受信する指示受信部（ウェブメール処理部４１０）と、前記変換指示に対応して前記第二形式の電子データを前記第一形式に変換するデータ変換部（画像変換処理部４２０）と、前記第一形式に変換された前記電子データを前記携帯端末１０で閲覧される状態に保持するデータ保持部（画像ＤＢ４２４）と、を有している。
【００３６】
携帯端末１０で出力される第一形式の電子データとしては、例えばＪＰＥＧ（Joint Photographic Experts Group）などの静止画像ファイル形式や、Ｆｌａｓｈ  Ｌｉｔｅ（登録商標）などの動画像ファイル形式、またはｗａｖｅ（waveform
Audio Format）形式などの音声ファイル形式が例示される。
このうち本実施形態では第一形式として、静止画像ファイル形式または動画像ファイル形式などの画像ファイル形式を例示する。これらの画像ファイルは、一般的な携帯端末１０の備える標準ブラウザで表示出力（以下、「表示」と略記する場合がある。）が可能なファイル形式のほか、携帯端末１０に個別にインストールされたアプリケーションソフトウェアに対応するファイル形式であってもよい。
【００３７】
また第二形式の電子データとは、例えば静止画像ファイル、動画像ファイル、ワープロソフト用ファイル、表計算ソフト用ファイル、プレゼンテーションソフト用ファイル、電子ドキュメントファイル（例えばＰＤＦ：Ｐｏｒｔａｂｌｅ  Ｄｏｃｕｍｅｎｔ  Ｆｏｒｍａｔ）、音声ファイルなどのうち、本実施形態のデータ処理装置１００とともに用いられる携帯端末１０で出力（表示出力または音声出力）できないファイル形式の電子データである。
【００３８】
本実施形態のデータ処理装置１００はポータル処理部４０とメール保存処理部５０とから構成されている。
ポータル処理部４０は、インターネット３０に接続される端末認証部４００と、図示しないファイアウォール（ＦＷ）を介して端末認証部４００の背後に接続されるウェブメール処理部４１０と、ウェブメール処理部４１０に接続された画像変換処理部４２０とを備えている。
メール保存処理部５０は、ウェブメールが保存されたメールボックス５１０と、受信したウェブメールをメールボックス５１０に格納するメールサーバ５００とを備えている。
【００３９】
ただしポータル処理部４０とメール保存処理部５０とは個別のハードウェアにて構築されていてもよく、または一つのハードウェアに組み込まれて実現されていてもよい。
【００４０】
図２は本実施形態のデータ処理システム６００にて実行されるデータ処理方法のシーケンス図である。同図を用いて携帯端末１０、ポータル処理部４０およびメール保存処理部５０の動作を説明する。
【００４１】
ポータル処理部４０を構成する端末認証部４００には、データ処理装置１００に接続される携帯端末１０ごとに関連づけられて、その発信者番号など当該携帯端末１０を固有に識別する情報（識別情報）と、パスワード（対照データ）とがテーブル（認証用テーブル）に格納されている。
【００４２】
携帯端末１０にはウェブメールを閲覧（ブラウズ）するアプリケーションソフトウェア（ブラウザ）がインストールされている。
携帯端末１０のユーザはまずブラウザを起動して、データ処理装置１００のポータル処理部４０のアドレスを示す所定のＵＲＬ（Uniform Resource
Locator）を入力することにより端末認証部４００にアクセスする。端末認証部４００からの求めに応じて、ユーザは携帯端末１０に付与されているパスワードを入力して送信することにより、携帯端末１０の認証要求を行う（図２：ステップＳ１０１）。
【００４３】
端末認証部４００では、アクセス元の携帯端末１０の識別情報をキーとして、受信したパスワードと対照データとが比較される。これが一致した場合は携帯端末１０が認証され、携帯端末１０には認証通知が返信される（図２：ステップＳ１０２）。そしてウェブメール処理部４１０では以下の処理がおこなわれる。
【００４４】
ウェブメール処理部４１０はＣＰＵとＲＯＭを備えている。ＲＯＭには、第一形式の電子データを出力する携帯端末で閲覧されるウェブメールを所定のウェブサイトに掲載するデータ処理装置のためのコンピュータプログラムが格納されている。上記コンピュータプログラムは、前記ウェブサイトで閲覧される前記ウェブメールを前記データ処理装置に保存するメール保存処理と、第二形式の電子データが添付されている前記ウェブメールを前記データ処理装置に格納するメール格納処理と、前記ウェブメールに添付されている前記第二形式の電子データを前記第一形式に変換する変換指示を前記携帯端末から受信する指示受信処理と、前記変換指示に対応して前記第二形式の電子データを前記第一形式に変換するデータ変換処理と、前記第一形式に変換された前記電子データを前記携帯端末で閲覧される状態に保持するデータ保持処理と、を前記データ処理装置に実行させるためのコンピュータプログラムである。
【００４５】
そして本実施形態のデータ処理装置１００においては、メールボックス５１０に保存されたウェブメールがウェブメール処理部４１０によってウェブサイト（図示せず）に掲載され、これが携帯端末１０のブラウザに表示される。
【００４６】
具体的には、携帯端末１０がブラウザを通じてウェブメール処理部４１０にアクセスすると、ウェブメール処理部４１０はメールボックス５１０に保存されたウェブメールの一覧が掲載されたウェブサイトを携帯端末１０に返送してブラウザに出力させる。そしてユーザが任意のウェブメールを選択し、これをクリックするなどしてメール閲覧要求をウェブメール処理部４１０に送信すると（図２：ステップＳ１０３）、ウェブメール処理部４１０はメールサーバ５００にメール取得要求を送信する（図２：ステップＳ１０４）。メール取得要求を受けたメールサーバ５００は、選択されたウェブメールの本文とこれに添付された添付ファイルとをメールボックス５１０よりウェブメール処理部４１０に送信する（図２：ステップＳ１０５）。ウェブメール処理部４１０に送信（ダウンロード）されたウェブメールは、ウェブメール処理部４１０の備える記憶部４１２に保存される。
【００４７】
そしてウェブメール処理部４１０は、携帯端末１０に対して当該ウェブメールの本文と、添付ファイルのファイル名および／または拡張子を携帯端末１０のブラウザに表示させる（図２：ステップＳ１０６）。なお本実施形態において、ウェブメールの本文（メール本文）とは、送信者のメールアドレスや送信時刻などのヘッダ情報を任意で含む。
【００４８】
ここで、携帯端末１０で選択して閲覧を希望したウェブメールに添付された電子データが第一形式であった場合、添付ファイル閲覧要求がポータル処理部４０に入力されることにより、ウェブメール処理部４１０は記憶部４１２に保存された電子データを当該ブラウザに出力させる。添付ファイル閲覧要求の入力は、携帯端末１０のブラウザで表示された添付ファイル名および／またはその拡張子がクリックされるなどして行われる。
【００４９】
一方、携帯端末１０が閲覧を希望したウェブメールに添付された電子データが第二形式であった場合、携帯端末１０からの添付ファイル閲覧要求を受信することにより（図２：ステップＳ１０７）、ポータル処理部４０は第二形式の添付ファイルを第一形式の電子データに変換する（図２：ステップＳ１０８）。携帯端末１０からの変換指示である添付ファイル閲覧要求は、具体的には携帯端末１０のブラウザで表示された添付ファイルのファイル名および／または拡張子をユーザがクリックするなどして行われる。
【００５０】
本実施形態においては、変換後の第一形式の電子データとして、例えば静止画像ファイル形式または動画像ファイル形式が選択されるものとする。
本実施形態のデータ処理装置１００で変換される第一形式および第二形式はそれぞれ複数種類のファイル形式を含んでいる。例えば、第二形式に属する静止画像ファイル形式の電子データは、第一形式に属する同じく静止画像ファイル形式の電子データに変換されるとよい。同様に、第二形式に属する動画像ファイル形式の電子データは、第一形式に属する動画像ファイル形式の電子データに変換されることが閲覧の都合上好ましい。
そして本実施形態のデータ処理装置１００では、ウェブメール処理部４１０が、変換される電子データが第二形式に含まれるいずれのファイル形式であるかを判定し、前記判定された結果に基づいて、変換後の電子データを第一形式に含まれるいずれのファイル形式とするかを決定するファイル形式決定部として機能する。
【００５１】
ウェブメール処理部４１０は、携帯端末１０ごとに、または携帯端末１０の機種ごとに関連づけて記憶された変換テーブルを記憶部４１２などに記憶している。例えば本実施形態の場合、携帯端末１０ごとに付与された固有の識別情報に対応させて、当該携帯端末１０が表示できない第二形式のファイル形式と、その変換先である当該携帯端末１０が表示できる第一形式のファイル形式とが、変換テーブルによって対応付けられている。変換元の第二形式と変換先の第一形式とは、１対１またはｎ対１に対応付けられている。
これにより、端末認証部４００における認証処理で用いられた携帯端末１０に固有の識別情報と、記憶部４１２に保存された第二形式の電子データの拡張子やファイル識別ヘッダの情報等とから、変換後の第一形式のファイル形式がウェブメール処理部４１０により一意に決定される。
【００５２】
そして携帯端末１０より変換指示を受信したウェブメール処理部４１０は、記憶部４１２に保存された第二形式の電子データを画像変換処理部４２０に転送するとともに、上記決定された変換後の第一形式のファイル形式を画像変換処理部４２０に指示する。画像変換処理部４２０は記憶部４２２を備え、ウェブメール処理部４１０から受信した変換前の第二形式の電子データを記憶部４２２に格納する。
【００５３】
画像変換処理部４２０では、記憶部４２２に格納された第二形式の電子データを、指示された第一形式のファイル形式に変換する。画像変換処理部４２０は、ユーザが携帯端末１０で閲覧を希望する第二形式のファイル形式にいずれも対応しているものとする。なお、第二形式から第一形式への電子データの変換には、既存のファイルコンバーターを用いるとよい。
【００５４】
変換後の第一形式の電子データは画像ＤＢ４２４に格納され（図２：ステップＳ１０９）、携帯端末１０で閲覧される状態に保持される。具体的には、変換後の電子データが格納されている画像ＤＢ４２４内の保存位置（アドレス）を、画像変換処理部４２０はウェブメール処理部４１０に送信する。そしてウェブメール処理部４１０は当該アドレスに保存された電子データを携帯端末１０に送信し、携帯端末１０のブラウザに出力させる（図２：ステップＳ１１０）。
【００５５】
上述した第一実施形態のデータ処理システム６００の動作のうち、本実施形態に特徴的なポータル処理部４０によるデータ処理方法について、図３に示すフローチャートを用いて説明する。
ポータル処理部４０では、まず携帯端末１０からの認証要求を待ち（ステップＴ１０１：Ｎ）、これを受信した場合（ステップＴ１０１：Ｙ）には、当該携帯端末１０の識別情報およびパスワードを認証用テーブルと比較して認証処理を行う（ステップＴ１０２）。
【００５６】
携帯端末１０から入力されたパスワードが対照データと一致するなどして携帯端末１０が認証された場合（ステップＴ１０２：Ｙ）、ポータル処理部４０は当該携帯端末１０に認証通知を送信する（ステップＴ１０３）。受信したパスワードが対照データと不一致であるなどして携帯端末１０が認証されなかった場合（ステップＴ１０２：Ｎ）、ポータル処理部４０はデータ処理を終了する。
【００５７】
携帯端末１０に認証通知を送信したポータル処理部４０は、当該携帯端末１０が閲覧可能なウェブメールの一覧が掲載されたウェブサイトを、携帯端末１０のブラウザに表示させる。
そしてポータル処理部４０は、携帯端末１０より所定のウェブメールの閲覧要求を受信するまで待機し（ステップＴ１０４：Ｎ）、これを受信すると（ステップＴ１０４：Ｙ）、メール保存処理部５０に対してメール取得要求を送信する（ステップＴ１０５）。
【００５８】
ポータル処理部４０は、メール保存処理部５０より当該ウェブメールのメール本文とその添付ファイルを受信するまで待機し（ステップＴ１０６：Ｎ）、これを受信すると（ステップＴ１０６：Ｙ）、携帯端末１０のブラウザにメール本文を表示させる（ステップＴ１０７）。
【００５９】
つぎにポータル処理部４０は、携帯端末１０より当該ウェブメールの添付ファイルの閲覧要求を受信するまで待機し（ステップＴ１０８：Ｎ）、これを受信すると（ステップＴ１０８：Ｙ）、当該添付ファイルのファイル形式が第二形式であるか否かを識別する（ステップＴ１０９）。
添付ファイルのファイル形式が第二形式ではない、すなわち第一形式である場合（ステップＴ１０９：Ｎ）、変換は不要であるため、ポータル処理部４０は当該添付ファイルの内容を携帯端末１０のブラウザに表示させる（ステップＴ１１０）。かかる表示にあたっては当該添付ファイルを携帯端末１０にダウンロードさせず、閲覧のみを可能とする。
添付ファイルのファイル形式が第二形式である場合（ステップＴ１０９：Ｙ）、ポータル処理部４０は変換テーブルを参照することで、当該電子データの変換先である第一形式を決定する（ステップＴ１１１）。そしてポータル処理部４０は当該添付ファイルを、上記決定された第一形式の電子データ（例えば画像データ）に変換する（ステップＴ１１２）。
【００６０】
変換後の第一形式の電子データ（画像データ）は画像ＤＢ４２４などのデータ保持部に格納され（ステップＴ１１３）、ポータル処理部４０はこれを携帯端末１０のブラウザに表示させる（ステップＴ１１４）。変換後の電子データの表示にあたっても、当該データを携帯端末１０にダウンロードさせず、閲覧のみを可能とする。
以上でポータル処理部４０は一連のデータ処理を終える。
【００６１】
このように本実施形態のデータ処理装置１００およびこれを有するデータ処理システム６００では、携帯端末１０からの変換指示に対応して一連の処理を行い、変換後の第一形式の電子データを携帯端末１０より閲覧させる。したがって携帯端末１０のユーザは、第一形式の電子データが添付されたウェブメールを閲覧するのと同様のクリック操作によって、当該添付ファイルが第一形式であるか第二形式であるかを意識することなく、これをブラウザ上に出力することができる。
【００６２】
また本実施形態では、携帯端末１０はブラウザを通じてウェブメールを閲覧するだけであって、メール本文およびこれに添付された第二形式の電子データ、そして変換された第一形式の電子データは、いずれも携帯端末１０に保存されない。したがって仮に機密のウェブメールを閲覧したユーザが当該携帯端末１０を紛失した場合も、携帯端末１０には機密情報が残っていないためこれが外部に流出することがない。また携帯端末１０が十分な記憶容量を有していない場合もウェブメールおよびこれに添付された電子データの閲覧が可能である。
【００６３】
さらに本実施形態のデータ処理装置１００およびデータ処理システム６００では、端末認証部４００によって携帯端末１０のパスワード認証がおこなわれるため、携帯端末１０を紛失した場合も、パスワードを知らぬ第三者によってウェブメール処理部４１０にアクセスされて本実施形態のデータ処理が行われることがない。したがって携帯端末１０にはメール本文、添付ファイル、および変換後の第一形式の電子データをいずれも恒久的には保存させないという上記技術とあわせて、電子データの外部漏洩に対するセキュリティーが特に向上する。
【００６４】
ただし上記効果を奏するにあたっては、上記態様に代えて、携帯端末１０にはウェブメールのメール本文および第一形式の電子データを保存（一時保存）することとし、ブラウザを終了することによりかかる一時保存データを自動的に消去することとしてもよい。これにより、第一形式の電子データが複数ページに亘って切り換え表示されるときや、ブラウザの操作によってメール本文と添付ファイルとを切り換えて繰り返し表示するときに、ウェブメールが保持されたウェブメール処理部４１０や、変換された電子データが保持された画像ＤＢ４２４に対して携帯端末１０からその都度アクセスする必要がなくなる。
【００６５】
ただしかかる場合も、ブラウザを起動した状態の携帯端末１０をユーザが紛失した場合を想定してセキュリティーを確保することが好ましい。したがって例えばウェブメールの表示スクロールや添付ファイルの切り換え表示などのコマンドが所定時間に亘ってブラウザに入力されなかった場合には、メール本文や第一形式の電子データを表示する出力画面や、ウェブメールの一覧を示すウェブサイトを自動的に終了して上記一時保存データを消去することとしてもよい。
【００６６】
なお本発明は上記実施形態に限定されるものではなく、その要旨を逸脱しない範囲で各種の変形を許容する。
例えば第二形式の電子データを第一形式の電子データに変換するに際しては、第二形式の電子データをパーソナルコンピュータのディスプレイ装置などで出力した内容と、変換された第一形式の電子データを携帯端末で出力した内容とが同一であっても相違していてもよい。例えばウェブメールに添付された第二形式の電子データが文書ファイル形式である場合については文字フォントが変更されたり、ツールバーやメニューバー、空白部分を削除するなど、内容の一部が削除・変更・追加されたりしてもよい。また静止画像ファイルや動画像ファイルを変換するに際しては、ファイルサイズを縮小して携帯端末の処理負荷を軽減してもよい。
【００６７】
また例えば第二形式の電子データが、ページの切り換えやアニメーション機能などの動的要素を含むプレゼンテーションファイルなどの場合、ファイル形式決定部では、第一形式の電子データとして静止画像を選択しても動画像を選択してもよい。すなわち第一形式および第二形式とは単に当該電子データの拡張子によって表されるアプリケーションソフトの種別によって分類されるのみならず、そのファイルが動的要素や音声データなどを含むか否か、およびこれらを携帯端末で出力できるかどうか、などの観点から分類されてもよい。またウェブメールに添付された第二形式の電子データが動的要素を含むものであったとしても、変換される第一形式として動画像ファイルを選択する必要は必ずしもなく、動的要素を削除した静止画像ファイルに変換してもよい。
【００６８】
また携帯端末１０がウェブメール処理部４１０に対して変換指示を送信するに際しては、ブラウザに表示された添付ファイル名やその拡張子をクリックする上記方法以外に、種々の方法をとることができる。例えばウェブメール処理部４１０が掲載するウェブサイトに専用のボタン等を設け、ブラウザ上で当該ボタン等をクリックすることで添付ファイルを変換する旨の要求を携帯端末１０からウェブメール処理部４１０に送信することとしてもよい。
【００６９】
また携帯端末１０のブラウザで閲覧されるウェブメールは、上記のようにメールボックス５１０からウェブメール処理部４１０の記憶部４１２にダウンロードされたものであってもよく、これに代えて、メールボックス５１０中に格納されたウェブメールが携帯端末１０に直接アクセスされてもよい。
【００７０】
また上記本実施形態では、変換後の第一形式のファイル形式を決定するファイル形式決定部の機能がウェブメール処理部４１０によって実現されている態様を説明したが、これに代えて、画像変換処理部４２０がファイル形式決定部の機能を有していてもよい。
具体的には、画像変換処理部４２０が、携帯端末１０ごとにまたは携帯端末１０の機種ごとに関連づけて記憶された変換テーブルを記憶部４２２などに保存しておくとよい。
一方、ウェブメール処理部４１０は携帯端末１０からの変換指示を受信すると、携帯端末１０の識別情報とともに第二形式の電子データを画像変換処理部４２０に送信する。
そして画像変換処理部４２０では受信した電子データの拡張子と、携帯端末１０の識別情報と、変換テーブルとに基づいて、変換すべき第一形式のファイル形式が決定され、受信した電子データを当該決定されたファイル形式に変換する処理が行われる。
【００７１】
また本発明においては、ファイル形式決定部の機能はデータ処理装置１００に必須ではない。すなわちウェブメール処理部４１０が携帯端末１０から受信する変換指示が、変換後の第一形式の電子データのファイル形式を指定する形式指定情報を含むこととしてもよい。
このように変換後のファイル形式をデータ処理装置１００が判断して決定するのではなく、携帯端末１０からの指示に基づくことにより、データ処理装置１００には個々の携帯端末１０で出力可能なデータ形式を登録しておく必要がなくなる。また携帯端末１０で出力可能な形式が複数存在する場合、そのうちユーザの希望に応じたファイル形式に変換することが可能であり、例えば動的要素を含む第二形式の電子データであっても、ユーザの選択によってこれを静止画像に変換するなどの指定が可能になる。
【００７２】
また画像変換処理部４２０で変換された第一形式の電子データは、上記のように画像変換処理部４２０の備える記憶部４２２に保存されて携帯端末１０からの閲覧に供されてもよく、またはこれに代えて、ウェブメール処理部４１０に返信されてもよい。かかる場合、変換後の電子データはウェブメール処理部４１０の備える記憶部４１２などに保持されて携帯端末１０のブラウザで閲覧される。
【００７３】
また図４は本発明の第二の実施形態にかかるデータ処理装置１００およびこれを有するデータ処理システム６００を示すブロック図の一例である。本実施形態のデータ処理装置１００は、携帯端末１０からの変換指示に対応して行う電子データの変換処理がメール保存処理部５０にて行われることを特徴とする。
すなわち本実施形態のデータ処理装置１００を構成するポータル処理部４０は端末認証部４００とウェブメール処理部４１０を備え、メール保存処理部５０はメールサーバ５００と画像変換処理部５２０を備えている。
【００７４】
ただし本実施形態のポータル処理部４０とメール保存処理部５０についても、これらが個別のハードウェアにて構築されていてもよく、または一つのハードウェアに組み込まれて実現されていてもよい。
【００７５】
図５は第二実施形態のデータ処理システム６００にて実行されるデータ処理方法のシーケンス図である。
【００７６】
本実施形態のデータ処理システム６００で行われるデータ処理方法のうち、携帯端末１０の認証から添付ファイルの閲覧要求までのステップ（図５：ステップＳ２０１〜Ｓ２０７）は上記第一実施形態におけるステップ（図２：ステップＳ１０１〜Ｓ１０７）と同様である。
【００７７】
第二形式の電子データである添付ファイルの閲覧を携帯端末１０から要求されたウェブメール処理部４１０（ポータル処理部４０）は、記憶部４１２に格納された当該電子データを画像変換処理部５２０に向けて転送する（図５：ステップＳ２０８）。
なおウェブメール処理部４１０は、記憶部４１２に格納された電子データに代えて、メールボックス５１０に保存されている当該ウェブメールに添付された電子データを画像変換処理部５２０に送信させることとしてもよい。
【００７８】
本実施形態のウェブメール処理部４１０または画像変換処理部５２０は、上記のファイル形式決定部の機能を備えており、携帯端末１０の識別情報と、第二形式の添付ファイルの拡張子やファイル識別ヘッダの情報等とから、変換テーブルを用いて変換先のファイル形式を一意に決定する。
【００７９】
画像変換処理部５２０では、ウェブメール処理部４１０から転送された第二形式の電子データをその記憶部５２２に記憶した上で、これを上記決定された第一形式の電子データに変換する（図５：ステップＳ２０９）。
【００８０】
変換された第一形式の電子データは、画像変換処理部５２０の備えるデータ保持部（画像ＤＢ５２４）に格納され（図５：ステップＳ２１０）、携帯端末１０からの閲覧される状態に保持される。
【００８１】
具体的には、変換後の電子データを携帯端末１０に閲覧させるに際し、本実施形態のデータ処理装置１００は、第一形式に変換されて画像ＤＢ５２４によって保持される電子データをウェブサイトに登録するデータ登録部（図示せず）と、前記ウェブサイトのウェブアドレスが記録された電子メールを携帯端末１０に返信するメール返信部と、を有している。
【００８２】
なお変換後の電子データが登録されるウェブサイトは、メールボックス５１０に保存されたウェブメールの一覧が掲載された上述のウェブサイトと同一であっても相違してもよい。
【００８３】
画像変換処理部５２０は、画像ＤＢ５２４に保持されている変換後の電子データのアドレス（ＵＲＬ）をメールサーバ５００に送信する（図５：ステップＳ２１１）。メール返信部であるメールサーバ５００は、かかるＵＲＬを電子メールの本文に添付してウェブメール処理部４１０に送信する（図５：ステップＳ２１２）。そしてウェブメール処理部４１０はかかる電子メールの本文の内容を携帯端末１０のブラウザに表示する（図５：ステップＳ２１３）。
【００８４】
かかる態様によれば、返信された電子メールに記録されたウェブアドレスを携帯端末１０にてクリックするなどすることにより、変換後の第一形式の電子データを容易に閲覧することができる。また変換後の電子データがウェブサイトに登録されていることで、これを携帯端末１０の記憶装置に保存する必要がなく、かつ当該ウェブサイトを呼び出すだけで、変換後の電子データを携帯端末１０より繰り返し閲覧することができる。
【００８５】
そして上記ＵＲＬが表示された携帯端末１０から、当該ＵＲＬをクリックするなどして画像変換処理部５２０に向けて画像閲覧要求がなされると（図５：ステップＳ２１４）、保持されている変換後の電子データが携帯端末１０のブラウザに出力される（図５：ステップＳ２１５）。
【００８６】
上述した第二実施形態のデータ処理システム６００の動作のうち、本実施形態に特徴的なポータル処理部４０およびメール保存処理部５０によるデータ処理方法について、図６および図７に示すフローチャートを用いてそれぞれ説明する。
【００８７】
図６に示すポータル処理部４０のデータ処理方法のうち、携帯端末１０からの認証要求を受信するステップ（ステップＴ２０１）から変換先の第一形式を決定するステップ（ステップＴ２１１）までは、上記第一実施形態におけるポータル処理部４０のフローチャート（図３：ステップＴ１０１〜Ｔ１１１）と同様である。
【００８８】
携帯端末１０より閲覧を要求された添付ファイルの変換先である第一形式が決定されると（図６：ステップＴ２１１）、ポータル処理部４０は当該変換前の添付ファイルをメール保存処理部５０に転送する（同図：ステップＴ２１２）。このときポータル処理部４０は変換先の第一形式の電子データのファイル形式を指定する形式指定情報をあわせて送信する。
【００８９】
ここで、図７にフローチャートを示すメール保存処理部５０は、当該添付ファイルの受信を待ち（図７：ステップＴ３０１：Ｎ）、これを受信すると（同図：ステップＴ３０１：Ｙ）、上記形式指定情報に従って第一形式の電子データ（例えば画像データ）に変換する（同図：ステップＴ３０２）。
【００９０】
つづけてメール保存処理部５０は、変換された画像データをデータ保持部（画像ＤＢ５２４）に格納する（同図：ステップＴ３０３）。そしてメール保存処理部５０は、変換された画像データのアドレスを示すＵＲＬをポータル処理部４０に送信する（同図：ステップＴ３０４）。
【００９１】
ポータル処理部４０は、上記ＵＲＬの受信を待ち（図６：ステップＴ２１３：Ｎ）、これを受信すると（同図：ステップＴ２１３：Ｙ）、携帯端末１０のブラウザに当該ＵＲＬを表示させる（同図：ステップＴ２１４）。これによりポータル処理部４０は一連のデータ処理を終える。
【００９２】
メール保存処理部５０は、携帯端末１０からの画像閲覧要求を待って（図７：ステップＴ３０５：Ｎ）、これを受信すると（同図：ステップＴ３０５：Ｙ）、変換後の第一形式の電子データ（画像データ）を携帯端末１０のブラウザに表示させる（同図：ステップＴ３０６）。これによりメール保存処理部５０は一連のデータ処理を終える。
【００９３】
また本発明においては以下の変形例も可能である。
図８は本発明の第三の実施形態にかかるデータ処理装置１００およびこれを有するデータ処理システム６００を示すブロック図の一例である。
【００９４】
本実施形態のデータ処理装置１００は、第一形式の電子データを出力する携帯端末１０から送信された、第二形式の電子データが添付された電子メールを受信するメール受信部（メール送受信部７００）と、
受信された前記電子メールに添付されている前記電子データを前記第二形式から前記第一形式に変換するデータ変換部（画像変換処理部５２０）と、
前記第一形式に変換された前記電子データを添付した電子メールを前記携帯端末１０に返信するメール返信部（メール送受信部７００）と、を有している。
【００９５】
本実施形態のデータ処理システム６００においては、携帯端末１０はメールボックス（図示せず）に保存されたメール（ＰＯＰメール）をダウンロードし、携帯端末１０にインストールされたメーラーにより、その本文とともにこれに添付された電子データ（添付ファイル）のファイル名および／または拡張子を表示する。
【００９６】
そして上記添付ファイルが、その内容を携帯端末１０で出力できない第二形式の電子データである場合、ユーザはかかる電子データを携帯端末１０からメール送受信部７００に送信して、画像変換処理部５２０により第一形式の電子データに変換する。
【００９７】
メール送受信部７００は変換テーブルを記憶した記憶部７１０を備えている。変換テーブルは上記第一または第二実施形態のデータ処理装置１００が有しているものと同様であり、携帯端末１０に固有の識別情報と、当該携帯端末１０が出力できない第二形式のファイル形式と変換先である第一形式のファイル形式とを対応付けるテーブルである。
【００９８】
端末認証部４００で認証された携帯端末１０より、第二形式の電子データが添付された電子メールを受信したメール送受信部７００は、拡張子やファイル識別ヘッダの情報等に基づいて受信した電子データのファイル形式を判定する。そして判定されたファイル形式と、携帯端末１０の識別情報とから、変換テーブルを用いて変換先の第一形式のファイル形式を決定する。
すなわちメール送受信部７００はファイル形式決定部として機能する。
【００９９】
メール送受信部７００は、変換前の第二形式の電子データと、上記決定された変換先のファイル形式とを画像変換処理部５２０に送信する。
これを受信した画像変換処理部５２０は、第二形式の電子データを記憶部５２２に格納するとともに、既存のファイルコンバーターを用いてこれを第一形式の電子データに変換する。
【０１００】
変換された第一形式の電子データは、メール返信部（メール送受信部７００）を介して携帯端末１０に返信される。そして携帯端末１０では、第一形式に対応するアプリケーションを用いて変換後の電子データを出力することができる。
【０１０１】
本実施形態によれば、携帯端末１０で出力できないファイル形式の場合にのみデータの変換が行われる。そして第二形式の電子データが添付された電子メールが携帯端末１０からメール受信部（メール送受信部７００）に送信される形でデータの変換が希望された場合にのみ、第二形式から第一形式への電子データの変換がなされることとなる。
このため、メールサーバなどのデータ処理装置にて添付ファイルのファイル形式を自動的に判断してすべての電子メールに対してその第二形式の添付ファイルを第一形式に変換する上記特許文献１に記載の技術に比べ、データ処理装置における処理負荷が低減される。また添付ファイルの閲覧を特に希望しないユーザや、元の第二形式のままで添付ファイルを携帯端末１０に保存しておくことを希望するユーザにとって、上記文献に記載の技術では第二形式の添付ファイルが一律に第一形式に変換されてしまうという不都合が生じていたところ、これが解消される。
【０１０２】
すなわち本実施形態のメール送受信部７００には、第二形式の電子データが添付された電子メールを携帯端末１０から受信するメール受信処理と、
受信された前記電子メールに添付されている前記電子データを前記第二形式から前記第一形式に変換するデータ変換処理と、
前記第一形式に変換された前記電子データを添付した電子メールを前記携帯端末１０に返信するメール返信処理と、
を前記データ処理装置１００に実行させるためのコンピュータプログラムが格納されている。
【０１０３】
また上記第三実施形態の変形例として、メール送受信部７００が携帯端末１０から受信する電子メールが、変換後の第一形式の電子データのファイル形式を指定する形式指定情報を含むこととしてもよい。
かかる態様の場合、メール送受信部７００が変換テーブルを備える必要はなく、すなわちメール送受信部７００がファイル形式決定部としての機能を有する必要がない。
【０１０４】
また更なる変形例として、変換後の第一形式の電子データをメール返信部（メール送受信部７００）より返信する態様に代えて、変換後の電子データを画像ＤＢ５２４に保持し、携帯端末１０のブラウザを用いて閲覧させる方式としてもよい。
【０１０５】
かかる態様とすることにより、携帯端末１０は第一形式の電子データが添付された電子メールを受信する必要がなくなるため、携帯端末１０の限られた記憶容量に対する負荷が軽減される。また変換後の第一形式の電子データが電子メールの送受信エラーなどで失われる恐れが回避される。
【０１０６】
上記第一乃至第三実施形態ではいずれも、携帯端末１０で出力されない第二形式の電子データとして画像ファイル形式を例示したが、このほか音声データや、音声と画像の混合データなどをデータ処理装置１００によって第一形式の電子データに変換することとしてもよい。
【図面の簡単な説明】
【０１０７】
【図１】本発明の第一の実施形態のデータ処理システムの構成を示すブロック図である。
【図２】第一実施形態のデータ処理システムにて実行されるデータ処理方法のシーケンス図である。
【図３】第一実施形態のポータル処理部によるデータ処理方法を示すフローチャートである。
【図４】本発明の第二の実施形態のデータ処理システムの構成を示すブロック図である。
【図５】第二実施形態のデータ処理システムにて実行されるデータ処理方法のシーケンス図である。
【図６】第二実施形態のポータル処理部によるデータ処理方法を示すフローチャートである。
【図７】第二実施形態のメール保存処理部によるデータ処理方法を示すフローチャートである。
【図８】本発明の第三の実施形態のデータ処理システムの構成を示すブロック図である。
【符号の説明】
【０１０８】
１０                            携帯端末
２０                            基地局
３０                            インターネット
４０                            ポータル処理部
５０                            メール保存処理部
１００                            データ処理装置
４００                            端末認証部
４１０                            ウェブメール処理部
４２０，５２０                    画像変換処理部
５００                            メールサーバ
５１０                            メールボックス
５２０                            画像変換処理部
６００                            データ処理システム
７００                            メール送受信部
４１２，４２２，５２２，７１０    記憶部
４２４，５２４                    画像ＤＢ
【図１】
2009134364.tif 000003
【図２】
2009134364.tif 000004
【図３】
2009134364.tif 000005
【図４】
2009134364.tif 000006
【図５】
2009134364.tif 000007
【図６】
2009134364.tif 000008
【図７】
2009134364.tif 000009
【図８】
2009134364.tif 000010